【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】
マルチキャリアモデムであって、前記モデムが複数モードでの動作のサポートを可能とする、一以上のリソースマネージャーを備えたこと、
を特徴とするもの。
【請求項２】
請求項１のモデムにおいて、前記複数モードでの動作は、ＤＳＬ、ＡＤＳＬ、ＶＤＳＬ、送電線によるアクセス、ワイヤレスによるアクセス、ケーブルによるアクセス又はホームネットワーキング、を含むこと、
を特徴とするもの。
【請求項３】
請求項１のモデムにおいて、前記一以上のリソースマネージャーは、前記モデムの機能部(functional portion)専用であること、
を特徴とするもの。
【請求項４】
請求項３のモデムにおいて、前記機能部は、インターフェース部、フレーマー部、変換部、イコライザー部、を備えたこと、
を特徴とするもの。
【請求項５】
請求項１のモデムにおいて、前記モデムは、複数のポートをサポートするのに拡張可能(scaleable)であること、
を特徴とするもの。
【請求項６】
請求項４のモデムにおいて、前記複数のポートは、マルチポートＡＤＳＬおよび単一ポートＶＤＳＬを含むこと、
を特徴とするもの。
【請求項７】
マルチポートＡＤＳＬモデムおよび単一ポートＶＤＳＬモデムのいずれかとして動作可能なマルチキャリア・シリコンソリューション。
【請求項８】
一以上のマルチポートＡＤＳＬモデム又はＶＤＳＬモデムとして動作可能なマルチキャリア・シリコンソリューション。
【請求項９】
一以上のマルチポートＤＳＬモデム、ＶＤＳＬモデム、およびネットワークインターフェースとして動作可能である書き換え可能な(configurable)マルチキャリア・シリコンソリューション。
【請求項１０】
二以上の、ＡＤＳＬモデム、ＶＤＳＬモデム、送電線モデムおよびホームネットワーキング装置、として動作可能なマルチキャリア・シリコンソリューション。
【請求項１１】
ＡＤＳＬモデムおよびホームネットワーキング装置として同時に動作可能なマルチキャリア・シリコンソリューション。
【請求項１２】
マルチキャリア・シリコンソリューションにおけるリソースマネージャーであって、
メモリ、
インターフェース、および
単一のチップセットにより複数のデータストリームを処理することを可能とするコントローラー、を備えたこと、
を特徴とするもの。
【請求項１３】
複数のサービスタイプのためにモデムを動作させる方法であって、各サービスタイプ用に、
一以上のフレーム境界を規定し、
前記一以上のフレーム境界に基づいて一以上のバッファを分割し、および
一以上の前記複数のサービスタイプに基づき、データを送付するためアドレッシングを決定すること、
を特徴とするもの。
【請求項１４】
請求項１３の方法において、前記モデムは、マルチキャリアモデムであること、
を特徴とするもの。
【請求項１５】
請求項１３の方法において、前記複数のサービスタイプは、ＤＳＬ、ＡＤＳＬ、ＶＤＳＬ、送電線によるアクセス、ワイヤレスアクセス、ケーブルアクセス又はホームネットワーキングを含むこと、
を特徴とするもの。
【請求項１６】
請求項１３の方法において、前記規定、分割および決定ステップは、複数のリソースマネージャーに対し行われること、
を特徴とするもの。
【請求項１７】
請求項１６の方法において、前記複数のリソースマネージャーは、メモリおよびリソース多重化制御部を設けたこと、
を特徴とするもの。
【請求項１８】
請求項１３の方法において、前記モデムは、少なくとも一のソフトウエア又は動的に書き換え可能な(configurable)なものであること、
を特徴とするもの。
【請求項１９】
マルチキャリアモデム。
【手続補正２】
【補正対象書類名】明細書
【補正対象項目名】０００７
【補正方法】変更
【補正の内容】
【０００７】
複数ポートによるソリューションは、１つのチップ内において複数のＤＳＬ線をサポート可能なシリコンによる構成(silicon architecture)を用いる技術に基づくものである。１ポートによるソリューションが１のＤＳＬ線をサポートするのに対し、複数ポートによるソリューションでは、多くのＤＳＬ線をサポートすることができる。これまで同じ半導体が１本の線しかサポートできなかったにも拘わらず、進歩した半導体製造技術を用いることにより、一つの半導体によって複数の線をサポートすることが可能となる。複数ポートによるソリューションは、ＤＳＬによるソリューションの進化における重要な部分の一例であり、例えば、ＤＳＬサービスプロバイダのコストおよびスペースの節約として実行されるソリューションを与えるため半導体製造工程の改良を促進する手段である。
【手続補正３】
【補正対象書類名】明細書
【補正対象項目名】０００９
【補正方法】変更
【補正の内容】
【０００９】
本発明の特徴は、システムが、今日、ｘ個のポートをサポートし、将来、ｘよりも数の多いｙ個をサポートすることができるよう、半導体の構造の変化として拡張する（scales)構成、を提供することに関する。
【手続補正４】
【補正対象書類名】明細書
【補正対象項目名】００１４
【補正方法】変更
【補正の内容】
【００１４】
【詳細な説明】
図示を容易にするため、例示したＤＳＬモデムの機能を、各セクション特定の機能を実施するためだけに設けられたいくつかのセクションに分割した。しかし、この分割は説明を容易にするためだけのものであり、モデムの機能コンポーネントを、適切であろうと判断されるよう何らかの形で再構成又は再編成可能であることが理解されよう。本発明の実施形態用に、ＤＳＬモデムを４つの機能コンポーネントに分割する。第１のコンポーネントは、ＡＤＳＬインターフェースブロックを介したＡＴＭが、ITU I.432規格に規定されたＡＴＭ送信変換レイヤーとして機能する。このインターフェースブロックは、ＡＴＭ−forum  ＵＴＯＰＩＡ−レベルIIインターフェースと、典型的なＡＤＳＬ装置である全二重同期シリアルポート、との接続を提供する。第２のコンポーネントは、例えば、フレーマー、コーダー、およびインターリーバーブロック、を含むフレーマーブロックであって、フレーミング、巡回冗長検査（ＣＲＣ）、スクランブリング、リード・ソロモンコーデイング、およびインターリービング等のＴ１．１４３およびＧ．ｌｉｔｅ規格のビット指向機能を実行するものである。第３のコンポーネントとしては、変換ブロックが、マルチトーンＱＡＭおよびトレリスコンステレーションエンコーデイングおよび／又は、デコーデイング、フーリエ変換、並びに、フルレートおよびG.lite規格の要求に基づく送受信を可能にする周波数領域均等化アルゴリズムとして機能する。第４のコンポーネントは、イコライゼーションブロックが、ＡＤＳＬモデムにおいて要求されるフロントエンド処理のデジタルフィルタリング部として機能する。前記フィルターは、一般電話システム（ＰＯＴＳ）の防御（protection)、送信マスクアプリケーション、補間(interpolation)、デシメーション、エコーキャンセレーション並びにタイムドメインイコライゼーションとして機能する。また、これらの各ブロックは、送信および受信の両方を同時にサポートすることができる。かかるブロックにおいて実行された送信機能は、その全体が参照のために本明細書に取り込まれるＧ．９９２．１およびＧ．９９２．１規格に詳述されている。また、上述の受信機能は、ＡＤＳＬ受信装置の一般的な例にすぎない。受信装置は、他の構成を採ってもよく、かかる構成はここで説明するものに限定されないこと、が理解されよう。
【手続補正５】
【補正対象書類名】明細書
【補正対象項目名】００２１
【補正方法】変更
【補正の内容】
【００２１】
動作の際、リソースマネージャー６００は、メモリ部、および、アドレッシングおよび一以上の機能ブロックへの又はそこからの制御機能を管理可能なリソース多重化システム（図示せず）、を備えている。したがって、リソースマネージャー６００は、ＡＤＳＬ、ＶＤＳＬ、ホームネットワーキング又はこれらの組み合わせ等のサービスが要求する条件に基づき、各サービス条件を割り当て、各ブロックは、前記サービス条件に基づいて要求されるフレームの境界を決定する。リソースマネージャー６００は、さらに、例えば、フレームの境界に基づいて前記のメモリ部を複数のバッファに分割するとともに、バッファに読み込まれ、そこから各データブロックに読み出されたデータのアドレッシングを設定する。
【手続補正６】
【補正対象書類名】明細書
【補正対象項目名】００２４
【補正方法】変更
【補正の内容】
【００２４】
図５は、例えば、ＤＳＬへの同時アクセスならびにホームネットワーキングソリューションを、同時又は並行して提供することができるマルチモード・マルチキャリアモデム１１００の実施形態の一例を示す。具体的には、マルチキャリア、例えば、ＤＭＴベースのホームネットワーキングソリューションは、上述と同程度の機能部分に分割することができる。かかる分割により、ＡＤＳＬおよびホームネットワーキングの両方をサポート可能である、高速なエンジン又は一以上のエンジンから構成されるシリコン構造がもたらされる。具体的には、マルチキャリアモデム１１００は、ＭＡＣ（メデイアアクセスコントロール）機能ブロック７００、変換ブロック４００、イコライザーブロック５００を備えるとともに、これらの間にリソースマネージャー６４０および６５０がそれぞれ挿入されている。しかし、マルチモード・マルチキャリアモデムについての前の実施形態との関係で述べたが、リソースマネージャー６４０および６５０を、ＭＡＣブロック７００、変換ブロック４００およびイコライゼーションブロック５００を制御可能な１つのリソースマネージャーに合体させてもよい。
【手続補正７】
【補正対象書類名】明細書
【補正対象項目名】００３７
【補正方法】変更
【補正の内容】
【００３７】
図１０は、モデムが８ポートのＡＤＳＬ用として構成されている場合の機能ブロック用のリソースマネージャーのアドレッシングの例を示している。具体的には、各ポート用に、５１２ポイントのＦＦＴインプレースバッファが設定される。次に、かかるリソースマネージャーは、パス毎に７６８回の乗加算(768 Multiply-accumulates)、ポート１のＦＦＴバッファへ局部的なアドレッシング(addressing local to the port 1 FFT buffer) を行う。同様の動作が残りの７つのポートについても行われる。
【手続補正８】
【補正対象書類名】明細書
【補正対象項目名】００４１
【補正方法】変更
【補正の内容】
【００４１】
本発明において説明したマルチモード・マルチキャリアエンジンは、マルチキャリアエンジンがアクセスソリューションの組み合わせにおける、又は、アクセスとネットワーキングソリューションとの組み合わせの、基本エレメントとなるアプリケーション、に用いることができる。例示した実施形態は、マルチモードＡＤＳＬ又はＶＤＳＬソリューションの詳細を示すだけでなく、ＡＤＳＬとＬＡＮとの組み合わせモードをも示している。マルチモード動作は、ＡＤＳＬ、ＶＤＳＬ、電力線によるアクセス、すなわち、電力線を介してデータのやりとりを行うこと、ワイヤレスアクセス、すなわち、空気を介してデータのやりとりを行うこと、又は、ケーブルアクセス、すなわち、ケーブルＴＶの線を介してデータのやりとりを行うこと、のいずれかを選択させることも可能である。ＡＤＳＬ又はＶＤＳＬに関し上記で説明したように、マルチモード動作は、マルチモードエンジンによって実行されるアクセス技術の組み合わせ、例えば、２ポートのＡＤＳＬおよび１ポートのＶＤＳＬ、を用いることもできる。また、上述の実施形態においては、アクセスとネットワーキング技術を選択させる動作モードの組み合わせ、および、ＡＤＳＬとＬＡＮとの組み合わせ動作、を示していたが、ＡＤＳＬ、ＶＤＳＬ、電力線、ワイヤレス又はケーブル等のアクセス技術、ならびに、電話線、電力線、ワイヤレス技術等のネットワーキング、のそれに匹敵する技術を用いても良い。
【手続補正９】
【補正対象書類名】明細書
【補正対象項目名】００４５
【補正方法】変更
【補正の内容】
【００４５】
これによって、本発明にかかるマルチモード・マルチキャリアモデム構造のためのシステムおよび方法が提供されることは、明らかである。本発明は、いくつかの実施形態に関して説明されているが、適用可能な技術の当業者にとっては、多くの代替手段、変更例があることは、明らかに理解できる。したがって、出願人は、本発明の精神およびの範囲中にある、かかる代替手段、変更例、均等物を含むことを意図している。